(57)【要約】【課題】プロテクタの厚さ方向の曲げ剛性を低下させることなく、電線収納部分におけるプロテクタの高さを削減し、太物の線材を収納する場合でもハーネスの配索の自由度を十分に確保しつつ所要の配策経路に確実に案内できるプロテクタを提供する。【解決手段】ハーネスを構成する電線群Ｗの収納が可能な凹部１１を形成するプロテクタ本体１２を備えるプロテクタであって、プロテクタ本体１２の底壁部２５に、底壁部２５の上面２５ａより凹部１１内に突出する一面側で電線群Ｗに当接可能で、かつ、電線群Ｗを結束バンド２３によって固定可能な固定片２６が設けられており、固定片２６の他面側であって底壁部２５の厚さｔｐの範囲内に、結束バンド２３を挿通可能な挿通路２７が形成されている。【選択図】図１
2016046942.tif 000002
【特許請求の範囲】
【請求項１】
ハーネスを構成する線材の収納が可能な凹部を形成するプロテクタ本体を備えるプロテクタであって、
前記凹部の内底面を形成する前記プロテクタ本体の底壁部に、前記内底面より前記凹部内に突出する一面側で前記線材に当接可能で、かつ、前記線材を結束部材によって固定可能な固定片が設けられており、
前記固定片の他面側であって前記底壁部の厚さの範囲内に、前記結束部材を挿通可能な挿通路が形成されていることを特徴とするプロテクタ。
【請求項２】
前記固定片は、前記一面側に前記線材に対応する溝を有することを特徴とする請求項１に記載のプロテクタ。
【請求項３】
前記固定片は、前記プロテクタ本体の前記底壁部に両持ち支持されつつ互いに平行に離間する一対の平行片部によって構成されていることを特徴とする請求項１に記載のプロテクタ。
【請求項４】
前記固定片は、前記一面側でそれぞれ前記線材に当接するよう、前記プロテクタ本体の前記内底面に対し互いに逆方向に傾斜する一対の傾斜当接面を有していることを特徴とする請求項２または請求項３に記載のプロテクタ。
【請求項５】
前記凹部の開口側に配置される蓋部材をさらに備え、
前記蓋部材が、前記プロテクタ本体の前記凹部に対向し前記結束部材の一部を収納する蓋側凹部を有していることを特徴とする請求項１ないし請求項４のいずれか１項に記載のプロテクタ。
【発明の詳細な説明】
【技術分野】
【０００１】
本発明は、ハーネスを構成する線材を収納し保護するプロテクタに関し、特に電源線等のように比較的高曲げ剛性の線材を収納し保護するプロテクタに関する。
【背景技術】
【０００２】
従来、車両等に実装されるワイヤハーネスの電線群をその配索経路に沿って収納し保護するプロテクタが知られている。また、電源線等を含む比較的曲げ剛性の大きいハーネスをその所定の配策区間において収納し、所定の配策経路に沿った姿勢に案内するプロテクタも知られている。
【０００３】
この種のプロテクタとしては、例えば数十本の電線の束を１本に束ねた状態にすると、電線箱を装着した状態で車両に搭載するスペースが不足することから、電線束を３本に分けて電線束の直径を小さくし、それぞれの電線束の特定箇所を電線箱の底部にバンド固定して、３本の電線束を重ねず並列させるものがある（例えば、特許文献１参照）。
【先行技術文献】
【特許文献】
【０００４】
【特許文献１】特開２０１３−２１５０３５号公報
【発明の概要】
【発明が解決しようとする課題】
【０００５】
しかしながら、上述のような従来の電線箱等のプロテクタにあっては、電線収納部分の厚さ（全高）が、高さ方向における電線束の直径に加えて、プロテクタ等のケースの底部および蓋部の板厚と、それら底部および蓋部側に及ぶ結束バンドの厚さとを含んだものとなり、厚くなっていた。そのため、特にプロテクタがワイヤハーネスを収納する区間が長い場合に、ワイヤハーネスの設置スペースを抑えることができなかった。
【０００６】
特に、電線群が高圧ケーブル等の太物である場合、曲げ剛性の高い電線群をプロテクタによって所定の配索経路に沿うように案内する必要から、プロテクタの厚さ方向の曲げ剛性を大きくする必要がある。そればかりか、曲げ剛性の高い電線群を所定の経路に配策するように経路規制する作業の作業性の面から、配策経路の一部区間内でプロテクタと電線群の間に若干スペースが要求される場合もある。そのため、電線群が太物である場合、プロテクタの電線収納部分の厚さが非常に大きくなってしまい、プロテクタを装着したワイヤハーネスの配索の自由度が低下したり、プロテクタの剛性不足のために所要の配策姿勢に案内（経路規制）できなくなったりしてしまうという問題があった。
【０００７】
そこで、本発明は、プロテクタの厚さ方向の曲げ剛性を低下させることなく、電線収納部分におけるプロテクタの高さを削減し、太物の線材を収納する場合でも、ハーネスの配索の自由度を十分に確保しつつ所要の配策経路に確実に案内できるプロテクタを提供することを目的とする。
【課題を解決するための手段】
【０００８】
本発明に係るプロテクタは、上記目的達成のため、ハーネスを構成する線材の収納が可能な凹部を形成するプロテクタ本体を備えるプロテクタであって、前記凹部の内底面を形成する前記プロテクタ本体の底壁部に、前記内底面より前記凹部内に突出する一面側で前記線材に当接可能で、かつ、前記線材を結束部材によって固定可能な固定片が設けられており、前記固定片の他面側であって前記底壁部の厚さの範囲内に、前記結束部材を挿通可能な挿通路が形成されているものである。
【０００９】
この構成により、底壁部の厚さの範囲内に形成された挿通路に結束部材を通しつつ、その結束部材によってハーネスの線材を固定片に結束してプロテクタ本体に固定することができる。その結果、結束部材がプロテクタの底壁部から下方に突出することがなくなり、少なくとも結束部材の厚さ分だけ、プロテクタの高さを縮小できることになる。しかも、一面側でプロテクタの凹部の内底面から凹部内に突出する固定片を設けることで、プロテクタの底壁部の剛性を低下させることなく、線材の案内機能を高めるとともに、結束部材の挿通作業が容易な挿通路を形成することができる。
【００１０】
本発明のプロテクタにおいて、前記固定片は、前記一面側に前記線材に対応する溝を有するとよい。
【００１１】
この場合、固定片の溝内に線材が入り込むことになり、その溝の深さ分だけ底壁部の一部分を一面側に移動させた固定片を形成できることになる。
【００１２】
本発明のプロテクタにおいて、前記固定片は、前記プロテクタ本体の前記底壁部に両持ち支持されつつ互いに平行に離間する一対の平行片部によって構成されていてもよい。
【００１３】
この場合、固定片の一対の平行片部の間に線材が入り込むことになり、その入り込む深さ分だけ底壁部の一部分を一面側に移動させた固定片を形成できることから、その他面側に挿通路を容易に形成可能となる。しかも、線材を前記プロテクタ本体の凹部の内底面に容易にかつ確実に支持させることができる。
【００１４】
本発明のプロテクタにおいて、前記固定片は、前記一面側でそれぞれ前記線材に当接するよう、前記プロテクタ本体の前記内底面に対し互いに逆方向に傾斜する一対の傾斜当接面を有していると好ましい。
【００１５】
このようにすると、結束部材により結束された線材が固定片の一対の傾斜当接面に沿って保持されることとなり、線材の収納姿勢が安定する。
【００１６】
本発明のプロテクタは、前記凹部の開口側に配置される蓋部材をさらに備え、前記蓋部材が、前記プロテクタ本体の前記凹部に対向し前記結束部材の一部を収納する蓋側凹部を有していてもよい。
【００１７】
この構成により、結束部材が蓋側凹部内にも入り込むことになり、その入り込んだ深さ分だけ、プロテクタの高さをさらに縮小できることとなる。
【発明の効果】
【００１８】
本発明によれば、電線収納部分におけるプロテクタの高さを削減し、太物の線材を収納する場合でも、ハーネスの配索の自由度を十分に確保しつつ所要の配策経路に確実に案内できるプロテクタを提供することができる。
【図面の簡単な説明】
【００１９】
【図１】本発明の第１の実施の形態に係るプロテクタの線材装着状態における要部横断面図である。
【図２】本発明の第１の実施の形態に係るプロテクタのプロテクタ本体の要部の部分拡大断面図である。
【図３】（ａ）は、図２のIIIＡ矢視図であり、（ｂ）は、図２のIIIＢ矢視図である。
【図４】（ａ）は、本発明の第１の実施の形態に係るプロテクタの線材装着状態における蓋側から見た外観斜視図であり、（ｂ）は、同プロテクタのプロテクタ本体の底壁部側から見た外観斜視図である。
【図５】本発明の第１の実施の形態に係るプロテクタの蓋部材を外した線材装着状態の外観斜視図である。
【図６】（ａ）は、本発明の第１の実施の形態に係るプロテクタの線材装着状態における線材固定部位を示す蓋部材側から見た斜視断面図であり、（ｂ）は、同線材固定部位をプロテクタ本体の底壁部側から見た斜視断面図である。
【図７】比較例のプロテクタの線材装着状態における要部横断面図である。
【図８】比較例のプロテクタの線材装着状態における要部縦断面図である。
【図９】本発明の第２の実施の形態に係るプロテクタの線材装着状態における要部横断面図である。
【図１０】（ａ）は、本発明の第２の実施の形態に係るプロテクタの要部上面図であり、（ｂ）は、同プロテクタの要部下面図である。
【発明を実施するための形態】
【００２０】
以下、本発明を実施するための形態について図面を参照して説明する。
【００２１】
（第１の実施の形態）
図１から図６に本発明の第１の実施の形態に係るプロテクタを示している。
【００２２】
本実施形態のプロテクタ１０は、車両に搭載されるワイヤハーネスの電線群Ｗ（線材）を、その配索経路における所定区間内で収納し保護するようになっている。
【００２３】
電線群Ｗは、例えば車両に搭載される電動機その他の機器への電力供給用の電線、すなわち電源線を含む比較的高曲げ剛性のものである。具体的には、電線群Ｗは、例えば良好な電気接続性と高導電率特性を有する複数の導体線を円形圧縮等により一体的に束ねた導体１と、導体１を同心的に取り囲む電気絶縁性の被覆２とを含んで構成されている。
【００２４】
本実施形態のプロテクタ１０は、ワイヤハーネスを構成する電線群Ｗ（線材）の収納が可能な凹部１１を形成するプロテクタ本体１２と、凹部１１の開口側（図１中の上方側）に開閉可能に配置された蓋部材１３とを備えている。
【００２５】
プロテクタ１０のプロテクタ本体１２は、例えば図４および図５に示すようにその厚さ方向に屈曲しており、蓋部材１３は、そのプロテクタ本体１２の両側壁１２ａ、１２ｂのそれぞれに対して、図示しない公知のスナップロック式の係止爪等によってロック可能に結合するようになっている。
【００２６】
なお、プロテクタ本体１２と蓋部材１３の結合方式や蓋部材１３の開閉の方式は特に限定されるものではなく、従来の任意の方式のものを採用できるが、プロテクタ１０が概ね平坦であれば、蓋部材１３は、例えばプロテクタ本体１２の両側壁１２ａ、１２ｂ（図５参照）のうち一方にヒンジ結合され、両側壁１２ａ、１２ｂのうち他方に対しロック可能に結合するものであってもよい。
【００２７】
プロテクタ本体１２は、全体として溝状の凹部１１を形成する所定長さの樹脂（合成樹脂）製のものであり、その横断面が略Ｕ字形状の凹形状をなしている。また、蓋部材１３は、プロテクタ本体１２の側壁１２ａ、１２ｂ（図５参照）によって閉蓋状態に支持され得る所定長さの樹脂製の板状体であり、プロテクタ本体１２と略同一幅を有している。ここにいう樹脂は、例えばポリプロピレンまたはポリアミド樹脂である。
【００２８】
プロテクタ１０は、これらプロテクタ本体１２および蓋部材１３により、全体として略長方形の横断面となる筒状になるように構成されている。
【００２９】
図４ないし図６に示すように、プロテクタ本体１２には、互いに平行に延在する複数、例えば２本（２束）の電線群Ｗが収納されている。
【００３０】
これら電線群Ｗは、プロテクタ本体１２内に収納される際にその屈曲または湾曲形状に応じて曲げられ、プロテクタ本体１２が装着される配索経路の所定区間における所定の配索姿勢が設定されるようになっている。
【００３１】
そのために、プロテクタ本体１２および蓋部材１３は、それぞれ電線群Ｗの配索経路の所定区間の形状に対応して屈曲または湾曲している。勿論、プロテクタ本体１２および蓋部材１３は、電線群Ｗが隣り合う方向（以下、左右方向という）に湾曲していてもよい。
【００３２】
さらに、比較的高曲げ剛性の電線群Ｗを所定の配索姿勢に規制しつつ設置スペースを抑えるために、プロテクタ本体１２には、少なくとも電線群Ｗの配索経路が屈曲する曲げ区間Ｚ１の前後、すなわち、比較的真っ直ぐな非曲げ区間Ｚ２と曲げ区間Ｚ１との接続部分に位置するように、それぞれ複数の電線結束部位２１、２２が設けられている。
【００３３】
そして、２本の電線群Ｗは、複数の電線結束部位２１、２２のそれぞれに係合する複数の結束バンド２３（結束部材）によって、それぞれ複数箇所でプロテクタ本体１２に対し結束されて固定され、所定の配索姿勢に保持されている。また、蓋部材１３には、プロテクタ本体１２の電線結束部位２１、２２に近接し、それぞれ凹部１１に対向しつつ結束バンド２３の一部を収納する複数の結束バンド逃げ孔３１、３２（蓋側凹部）が形成されている。
【００３４】
図１および図３（ａ）に示すように、結束バンド２３は、片面側に図示しないセレーション状の凹凸が形成された帯状のバンド部２３ａと、このバンド部２３ａが先端側から挿入されたとき前記セレーション状の凹凸に係合する図示しないロック爪を内蔵するロック部２３ｂとを有している。そして、ロック部２３ｂにバンド部２３ａが挿入されたとき、ロック部２３ｂによってバンド部２３ａがその先端からの挿入深さ位置で抜け止め可能に、かつ、より深く挿入可能に係止されるようになっている。
【００３５】
結束バンド２３のバンド部２３ａの厚さｔｂは、プロテクタ本体１２の底壁部２５の厚さｔｐおよび蓋部材１３の厚さｔｖのいずれよりも薄くなっている（ｔｂ＜ｔｐ、かつ、ｔｂ＜ｔｖ）。なお、結束バンド２３は、公知の他の結束バンドでもよいし、バンドでなく線状の結束部材でもよい。
【００３６】
図１ないし図３に示すように、プロテクタ本体１２の各電線結束部位２１、２２においては、プロテクタ本体１２の底壁部２５の上面２５ａから凹部１１内に突出高さｈｆだけ突出する固定片２６が設けられており、この固定片２６は、凹部１１内に面する一面側（図１中で上面側）で電線群Ｗに当接している。
【００３７】
また、固定片２６の他面側（図１中で下面側）であって底壁部２５の厚さｔｐの範囲内には、結束バンド２３より幅が広く結束バンド２３のバンド部２３ａを挿通することができる挿通路２７が形成されている。
【００３８】
図２および図３（ａ）に示すように、挿通路２７は、固定片２６の両図中の左右両側、すなわち、電線群Ｗの径方向の両側で、底壁部２５の上面２５ａ（凹部１１の内底面）に開口している。また、図２および図３（ｂ）に示すように、挿通路２７は、固定片２６の下方側で電線群Ｗの軸線方向と直交する方向に延びつつ、底壁部２５の下面２５ｂ側に略長方形の開口を形成している。
【００３９】
そして、この挿通路２７に挿通された結束バンド２３によって、電線群Ｗが固定片２６と一体に結束され、固定片２６を介してプロテクタ本体１２に固定されている。なお、底壁部２５の上面２５ａにおける挿通路２７の両端側の開口は、それぞれ略長方形で、短径が結束バンド２３のロック部２３ｂより小径になっている。よって、結束バンド２３のロック部２３ｂは、挿通路２７に入ることはなく、プロテクタ本体１２の凹部１１内に配置される。
【００４０】
固定片２６は、より具体的には、プロテクタ本体１２の底壁部２５に両持ち支持されつつ互いに平行に離間する一対の平行片部２６ａ、２６ｂによって構成されている。また、固定片２６の一対の平行片部２６ａ、２６ｂには、それぞれの一面側で電線群Ｗに当接するよう、底壁部２５の上面２５ａに対し互いに逆方向に傾斜しつつ同一の円筒面に近接する一対の傾斜当接面２６ｃ、２６ｄが形成されている。
【００４１】
固定片２６の一対の平行片部２６ａ、２６ｂは、ここでは、長手方向の各位置で図１および図２に示すように互いに左右対称でかつ一定の横断面形状を有している。ただし、電線群Ｗの長さ方向における挿通路２７の両側で一対の平行片部２６ａ、２６ｂを一体に結合させるとともに、その上面を電線群Ｗの外周面（前記同一の円筒面）に近接する円筒面形状にしてもよい。すなわち、固定片２６を方形枠状にしてもよい。
【００４２】
また、結束バンド２３が巻き掛かる一対の平行片部２６ａ、２６ｂの角部を面取りしたり、挿通路２７の長手方向の両端側で底壁部２５の上面２５ａにおける開口幅を広げるように、挿通路２７の開口縁部を面取りしたりしてもよい。
【００４３】
固定片２６の一対の平行片部２６ａ、２６ｂは、底壁部２５の上面２５ａからの突出高さｈｆが同一となっているが、片側を高くしてもよい。突出高さｈｆがプロテクタ本体１２の凹部１１の深さｈｃ以下の範囲内で任意に設定できることはいうまでもない。
【００４４】
蓋部材１３に略長方形に形成される複数の結束バンド逃げ孔３１、３２の長さＬａは、プロテクタ本体１２に形成される挿通路２７の長さＬｂより短くなっている。
【００４５】
これら結束バンド逃げ孔３１、３２は、図１中では蓋部材１３の板厚の全域を貫通しているが、内側に開く有底の凹状に形成されてもよい。すなわち、結束バンド逃げ孔３１、３２は蓋部材１３を貫通させる必要はない。
【００４６】
次に、作用について説明する。
【００４７】
上述のように構成された本実施形態のプロテクタ１０においては、プロテクタ本体１２の底壁部２５の厚さｔｐの範囲内に形成された挿通路２７に結束バンド２３を通し、その結束バンド２３によって、ワイヤハーネスの電線群Ｗを固定片２６に結束してプロテクタ本体１２に固定することができる。したがって、結束バンド２３がプロテクタ本体１２の底壁部２５から下方に突出することがなく、少なくとも結束バンド２３の厚さｔｂ分だけ、プロテクタ１０の高さを縮小できることになる。
【００４８】
しかも、一面側で凹部１１の内底面である底壁部２５の上面２５ａから凹部１１内に突出する固定片２６を設けることで、プロテクタ本体１２の底壁部２５の剛性を実質的に低下させることなく、電線群Ｗの案内機能を高めるとともに、結束バンド２３の挿通作業が容易な挿通路を形成することができる。固定片２６の両側面２６ｆと挿通路２７を形成する底壁部２５の開口内周面２５ｆとが上下方向にずれており、結束バンド２３の先端を挿通路２７の両端の開口のいずれにも容易に挿入できるからである。
【００４９】
また、本実施形態においては、固定片２６の一対の平行片部２６ａ、２６ｂの間に電線群Ｗが入り込むことになり、その入り込む深さ分だけ底壁部２５の一部分を凹部内に突出する方向に移動させた固定片２６を形成できる。したがって、固定片２６の他面側に挿通路２７を容易に形成可能となる。しかも、電線群Ｗを凹部１１の内底面である底壁部２５の上面２５ａに容易にかつ確実に支持させることができる。
【００５０】
さらに、一対の平行片部２６ａ、２６ｂの一面側に、それぞれ電線群Ｗに当接するよう、凹部１１の内底面である底壁部２５の上面２５ａに対し互いに逆方向に傾斜する一対の傾斜当接面２６ｃ、２６ｄが形成されているので、結束バンド２３により結束された電線群Ｗがこれら一対の傾斜当接面２６ｃ、２６ｄに沿って保持されることとなり、電線群Ｗの収納姿勢が安定することになる。
【００５１】
加えて、本実施形態では、凹部１１の開口側に配置される蓋部材１３をさらに備え、蓋部材１３が、プロテクタ本体１２の凹部１１に対向しつつ結束バンド２３の一部を収納する蓋側凹部としての結束バンド逃げ孔３１、３２を有しているので、結束バンド２３が蓋部材１３側にも入り込むことになり、その入り込んだ深さ分だけ、プロテクタ１０の高さをさらに縮小できることとなる。
【００５２】
このように、本実施形態においては、電線収納部分におけるプロテクタ１０の高さを削減し、太物の電線群Ｗを収納する場合でも、ワイヤハーネスの配索の自由度を十分に確保しつつ所要の配策経路に確実に案内できるプロテクタ１０を提供することができる。
【００５３】
（比較例）
以上のような本発明の作用効果をより明確にするために、図７および図８に比較例を示す。なお、以下の説明においては、第１の実施の形態と同一または類似する構成については図１ないし図６に示した第１の実施の形態中の対応する構成要素の符号を用いつつ、第１の実施の形態との相違点について説明する。
【００５４】
比較例のプロテクタ１１０は、上述の第１の実施の形態におけるプロテクタ本体１２のように内底面から突出する結束用の固定片を有するものではなく、内底面が平坦であり、電線群Ｗがプロテクタ本体１１２の底壁部１２５を２箇所で貫通するバンド挿通孔１２７ａ、１２７ｂを有している。また、蓋部材１１３には、上述の第１の実施の形態における結束バンド逃げ孔３１、３２のような蓋側凹部は形成されていない。
【００５５】
この場合の結束形態は、上述の特許文献１に記載されるようなプロテクタでの結束形態に近いものとなり、プロテクタ本体１１２の底壁部１２５の下面１２５ｂから結束バンド２３のバンド部２３ａの厚さｔｂ分だけ突出するとともに、プロテクタ本体１１２の凹部１１１の深さｈｄは、電線群Ｗの仮想直径に相当する上述の第１の実施の形態におけるプロテクタ本体１２の凹部１１の深さｈｃより結束バンド２３のバンド部２３ａの厚さｔｂ分だけ大きくなっている。
【００５６】
そればかりか、電線群Ｗをプロテクタ本体１１２の底壁部１２５に結束するためのバンド挿通孔１２７ａ、１２７ｂが電線群Ｗの背面側で底壁部１２５の上面１２５ａ上に開口するため、バンド挿通孔１２７ａ、１２７ｂに結束バンド２３を通す作業が容易でなく、作業性を良くするためにプロテクタ１１０と電線群Ｗの間に図８に示すような厚さ方向の隙間ｇを形成する必要も生じ易くなる。
【００５７】
よって、上述の第１の実施の形態のプロテクタ１０は、比較例のプロテクタ１１０よりも少なくとも結束バンド２３のバンド部２３ａの厚さｔｂの２倍分だけ薄くできることにがわかる。
（第２の実施の形態）
図９および図１０は、本発明の第２の実施の形態に係るプロテクタを示している。
【００５８】
本実施形態においては、第１の実施の形態と同様に、プロテクタ本体１２のプロテクタ本体１２の各電線結束部位２１、２２に、プロテクタ本体１２の底壁部２５の上面２５ａから凹部１１内に突出高さｈｆだけ突出する固定片４６が設けられている。
【００５９】
この固定片４６は、凹部１１内に面する一面側（図９中で上面側）で電線群Ｗに当接している。また、固定片４６の他面側（図９中で下面側）であって底壁部２５の厚さｔｐの範囲内には、結束バンド２３より幅が広く結束バンド２３のバンド部２３ａを挿通することができる挿通路２７が形成されている。
【００６０】
そして、挿通路２７に挿通された結束バンド２３によって、電線群Ｗが固定片４６と一体に結束され、固定片４６を介してプロテクタ本体１２に固定されている。
【００６１】
本実施形態では、固定片４６の形状が第１の実施の形態の固定片２６とは相違する。
【００６２】
具体的には、固定片４６は、プロテクタ本体１２の底壁部２５に両持ち支持されつつ挿通路２７の上方に位置する板状体となっており、この固定片４６の一面側に電線群Ｗに対応する溝４６ａが形成されている。
【００６３】
また、固定片４６の溝４６ａの両側壁部分には、固定片４６の一面側でそれぞれ電線群Ｗに当接するよう、底壁部２５の上面２５ａに対し互いに逆方向に傾斜しつつ同一の円筒面に近接する一対の傾斜当接面４６ｃ、４６ｄが形成されている。さらに、固定片４６の両側面４６ｆは、プロテクタ本体１２の底壁部２５の開口内周面２５ｆに対して、図９中の上下方向位置がずれている。
【００６４】
本実施形態においても、第１の実施の形態と同様な効果を得ることができる。
【００６５】
しかも、本実施形態では、固定片４６の溝４６ａ内に電線群Ｗが入り込むことになり、その溝４６ａの深さ分だけ底壁部２５の一部分を凹部１１内に突出させた固定片４６を形成しているので、プロテクタ１０の全高は第１の実施の形態より底壁部２５の厚さｔｐと固定片２６の突出高さｈｆとの差分（ｔｐ−ｈｆ）だけ小さくなる。結束バンド逃げ孔３１，３２への結束バンド２３の挿入深さを最大にすれば、さらにプロテクタ１０の全高をさらに小さくすることが可能である。
【００６６】
なお、上述の各実施の形態では、プロテクタ１０は、蓋部材１３を有していたが、本発明は蓋部材を有していない場合にも適用可能である。また、上述の各実施形態では、プロテクタ１０が厚さ方向に屈曲するものとして例示したが、同一平面上で幅方向に湾曲してもよいし、捩れ方向に傾斜してもよい。
【００６７】
また、固定片２６、４６は、いずれもプロテクタ本体１２の底壁部２５に両持ち支持されるように一体に形成されるものとして例示した。しかし、固定片２６、４６を、プロテクタ本体１２の底壁部２５に片持ち支持される固定片としたり、それらの背面側の自由端部に結束バンドの横ずれを規制する突起やリブを設けたりすることも考えられる。複数の固定片２６，４６の突出高さｈｆを、配索経路中の設置スペースの余裕度合いに応じて適宜相違させてもよい。
【００６８】
さらに、固定片を一対の平行片部２６ａ、２６ｂによって構成するような場合、突出高さの大きい一対の平行片部２６ａ、２６ｂによって電線群Ｗをガイドするようにしてもよい。
【００６９】
また、上述の各実施形態では、線材をワイヤハーネスの電線群（電線束）としたが、本発明にいう線材は、光ハーネスの線材群等のような電線以外の線材を含み得るものであり、線材が複数の電線でなく単線の電線等であってもよい。
【００７０】
以上説明したように、本発明は、電線収納部分におけるプロテクタの高さを削減し、太物の線材を収納する場合でも、ハーネスの配索の自由度を十分に確保しつつ所要の配策経路に確実に案内できるプロテクタを提供することができるものである。かかる本発明は、ハーネスを構成する線材を収納し保護するプロテクタ、特に電源線等のように比較的高曲げ剛性の線材を収納し保護するプロテクタ全般に有用である。
【符号の説明】
【００７１】
１０  プロテクタ
１１  凹部
１２  プロテクタ本体
１２ａ、１２ｂ  側壁
１３  蓋部材
２１、２２  電線結束部位
２３  結束バンド
２３ａ  バンド部
２３ｂ  ロック部
２５  底壁部
２５ａ  上面（凹部の内底面）
２５ｂ  下面
２５ｆ  開口内周面
２６、４６  固定片
２６ａ、２６ｂ  平行片部
２６ｃ、２６ｄ  傾斜当接面
２６ｆ  側面（固定片の側面）
２７  挿通路
３１、３２  結束バンド逃げ孔（蓋側凹部）
４６ａ  溝
４６ｃ、４６ｄ  傾斜当接面
Ｗ  電線群
Ｚ１  曲げ区間
Ｚ２  非曲げ区間
【図１】
2016046942.tif 000003
【図２】
2016046942.tif 000004
【図３】
2016046942.tif 000005
【図４】
2016046942.tif 000006
【図５】
2016046942.tif 000007
【図６】
2016046942.tif 000008
【図７】
2016046942.tif 000009
【図８】
2016046942.tif 000010
【図９】
2016046942.tif 000011
【図１０】
2016046942.tif 000012